(57)【要約】      （修正有）【課題】ソーラーモジュールを利用して発電し、これにより発光部品に掲示板の図案を表示させる省エネ掲示板モジュールを提供する。【解決手段】省エネ掲示板モジュールは、掲示板１０、ソーラーモジュール２０、蓄電池３０、光センサー４０、発光部品５０、コントローラー、外枠６０を備える。掲示板１０はソーラーモジュール２０上に密着し、外枠６０には掲示板１０、ソーラーモジュール２０、蓄電池３０、コントローラーを収容して設置し、光センサー４０は外枠６０の頂点部に設置する。ソーラーモジュール２０は太陽光を受け取り発電し、蓄電池３０に給電、充電し、蓄電池３０はコントローラー及び光センサー４０に給電し、コントローラーは感知信号に基づき、蓄電池３０の電力を制御し、発光部品５０を点灯させ発射光を生じさせ、掲示板１０に照射して、掲示板１０の図案を表示させる。【選択図】図１
0003173355.tif 000002
【実用新案登録請求の範囲】
【請求項１】
省エネ掲示板モジュールは、省エネ掲示機能を実現し、少なくとも１個の掲示板、少なくとも１個のソーラーモジュール、蓄電池、光センサー、少なくとも１個の発光部品、コントローラー、外枠を備え、
前記少なくとも１個の掲示板の各掲示板は、光透過性図案を備え、
前記少なくとも１個のソーラーモジュールの各ソーラーモジュールは、太陽光、或いは環境光を受け取り、第一電力を発生し、しかも前記各ソーラーモジュールは、前記掲示板に相対する内側に密着し、
前記蓄電池は、前記第一電力を受け取り充電し、第二電力を出力し、しかも前記蓄電池は、前記省エネ掲示板モジュールの底部に位置し、
前記光センサーは、前記省エネ掲示板モジュールの頂点部に位置し、前記第二電力を受け取り、太陽光の輝度を感知し、感知信号を発し、
前記少なくとも１個の発光部品は、前記少なくとも１個の掲示板の内側、或いは外側に位置し、
前記コントローラーは、前記光センサーの感知信号を受け取り、感知信号に基づき、前記蓄電池が出力する第二電力を制御し、前記少なくとも１個の発光部品を点灯、或いは消灯させ、発射光を生じさせ、しかも前記発射光は、前記少なくとも１個の掲示板を経て反射、或いは投射され、前記少なくとも１個の掲示板の図案を表示し、
前記外枠は、前記少なくとも１個の掲示板、前記少なくとも１個のソーラーモジュール、前記蓄電池、前記少なくとも１個のコントローラーを収容して設置することができ、しかも前記少なくとも１個の掲示板の外側は、前記外枠外に露出し、前記光センサーは、前記外枠頂点部に設置することを特徴とする省エネ掲示板モジュール。
【請求項２】
前記少なくとも１個の掲示板は、アクリル板により構成し、しかも前記少なくとも１個の掲示板の図案は、さまざまな色、或いは凹凸表面により表現する文字、符号、商品図或いは画像を含むことを特徴とする請求項１に記載の省エネ掲示板モジュール。
【請求項３】
前記少なくとも１個の発光部品は、発光ダイオード、或いは発光ダイオードを利用して形成する多数の灯管により実現し、
しかも、前記少なくとも１個の発光部品は、均一に水平配置、垂直配置、或いは斜め配置し、
しかも、前記蓄電池は、充電可能な二次電池であることを特徴とする請求項１に記載の省エネ掲示板モジュール。
【請求項４】
前記省エネ掲示板モジュールはさらに、上蓋を備え、
前記上蓋は、前記省エネ掲示板モジュールの頂点部に位置し、しかも開閉可能な方式で、前記外枠に結合し、
こうして、前記少なくとも１個の掲示板、或いは前記少なくとも１個のソーラーモジュール、或いは前記少なくとも１個の発光部品の交換、更新を行うことができ、
しかも、前記上蓋を閉めた時には、水密性を備えることを特徴とする請求項１に記載の省エネ掲示板モジュール。
【考案の詳細な説明】
【技術分野】
【０００１】
本考案は省エネ掲示板モジュールに関し、特にソーラーモジュールを利用して発電し、これにより発光部品に掲示板の図案を表示させる省エネ掲示板モジュールに関する。
【背景技術】
【０００２】
掲示板は一般に別に光源が必要である。これにより、環境中の光線、或いは照明光線が不足している状況であっても、掲示機能を発揮することができる。こうして、標識、或いは警告表示に用いる交通標識板として、或いは商品の販売促進に用いる広告看板として、或いは建築物、或いは景観の美化に用いる適当な画面を備える掲示板として運用することができる。業界では通常は、水銀灯、ナトリウム灯、発光ダイオード(ＬＥＤ)などの効率と輝度が高い発光部品を使用して、別の光源とし、同時に市内電源、或いは蓄電池により必要な電力を供給する。
【０００３】
ソーラーの、初期電力ソースとしての利用は、省エネと二酸化炭素削減を進める世界の潮流下では必然のトレンドである。しかも、多くの商品が市販されている。しかし、ソーラーパネルは一般に頂点部に設置され、平らに置く方式で設置され、これにより最大の受光面積を確保する。けれども、しばしば掲示板の体積が大きくなり過ぎてしまい、その応用領域と利便性を制限してしまっている。
【考案の概要】
【考案が解決しようとする課題】
【０００４】
本考案が解決しようとする課題は、ソーラーパネルを垂直方式で設置し、文字或いは図示を備える掲示板に平行とし、これにより太陽エネルギーを電力に転換し、掲示板の内容を表示することができる省エネ掲示板モジュールを提供することである。
【課題を解決するための手段】
【０００５】
上記課題を解決するため、本考案は下記の省エネ掲示板モジュールを提供する。
省エネ掲示板モジュールは、少なくとも１個の掲示板、少なくとも１個のソーラーモジュール、蓄電池、光センサー、少なくとも１個の発光部品、コントローラー、外枠を備え、
該各ソーラーモジュールは、太陽光を受け取り、発電し、
該各掲示板は、該ソーラーモジュール上に対応して密着し、光透過性図案を備え、
該蓄電池は、該ソーラーモジュールが発電した電力を受け取り充電し、電力を出力し、  該光センサーは、該蓄電池が出力する電力を受け取り、太陽光の輝度を感知し、感知信号を発し、
該コントローラーは、該光センサーの感知信号を受け取り、感知信号に基づき、該蓄電池が出力する電力を制御し、該発光部品を点灯させ発射光を生じさせ、
該外枠は、該掲示板、該ソーラーモジュール、該蓄電池、該コントローラーを覆って包み、しかも該光センサーは、該外枠頂点部に設置し、該発光部品が生じる発射光は、掲示板を照射し、該掲示板を経て反射、或いは投射され、該掲示板の図案を表示し、
該外枠の頂点部には、上蓋を設置することができ、該上蓋を開ければ、ソーラーモジュール、発光部品、或いは掲示板を交換することができる。
【考案の効果】
【０００６】
本考案の省エネ掲示板モジュールは、掲示機能を実現しながら、同時に外部電源と接続する必要がなく、ソーラーモジュールにより太陽光、或いは環境光を受け取り、必要な電力を発電し、こうして省エネ、二酸化炭素削減の目的を達成し、しかも省エネ掲示板モジュールそのものは水密性を備え、実体操作の信頼性を改善でき、特に掲示板は外枠頂点部の上蓋を経て交換でき、操作の利便性をさらに高めることができる。
【図面の簡単な説明】
【０００７】
【図１】本考案第一実施例省エネ掲示板モジュールの構造模式図である。
【図２】図１に示す実施例の全体外観正視図である。
【図３】図１に示す実施例中発光部品配置の模式図である。
【図４】本考案第二実施例省エネ掲示板モジュールの構造模式図である。
【図５】本考案発光部品配置の別種の模式図である。
【考案を実施するための形態】
【０００８】
本考案第一実施例省エネ掲示板モジュールの構造模式図、図１に示す実施例の全体外観正視図である図１、２に示すように、本考案省エネ掲示板モジュール１は、掲示板１０、少なくとも１個のソーラーモジュール２０、蓄電池３０、光センサー４０、少なくとも１個の発光部品５０、コントローラー(図示なし)、外枠６０を備え、省エネ掲示機能を実現する。
【０００９】
図１、２に示す２個の掲示板１０、２個のソーラーモジュール２０、４個の発光部品５０は、本考案特徴の説明に便利な実施例に過ぎず、本考案の範囲を限定するものではない。よって、本考案は任意の個数の掲示板１０、ソーラーモジュール２０、発光部品５０を備えることができる。
【００１０】
外枠６０には、掲示板１０、ソーラーモジュール２０、蓄電池３０、コントローラーを収容して設置することができる。同時に、掲示板１０の外側は、外枠６０外に露出し、光センサー４０は、外枠６０の頂点部、或いは省エネ掲示板モジュール１の頂点部に設置する。
【００１１】
各掲示板１０は、アクリル板で、しかも光透過性を備え、さまざまな色、或いは凹凸表面により、文字、符号、商品図或いは画像を表現する図案により構成する。
【００１２】
ソーラーモジュール２０は、掲示板１０に相対する内側に密着する。しかも、掲示板１０を通過した太陽光Ｌ１、或いは環境光を、ソーラーモジュール２０は受け取り、第一電力を発生する。
【００１３】
蓄電池３０は、省エネ掲示板モジュール１の底部に位置し、ソーラーモジュール２０が生じる第一電力を受け取り充電し、第二電力を出力する。蓄電池３０は、二次電池とすることができる。
【００１４】
光センサー４０は、蓄電池３０が出力する第二電力を受け取り、太陽光Ｌ１の輝度を感知し、感知信号(図示なし)を発する。
【００１５】
発光部品５０は、掲示板１０の外側に位置する。発光部品５０は、発光ダイオード、或いは発光ダイオードを利用して形成する多数の灯管により構成する。図３に示すように、発光部品５０は、均一に水平配置、垂直配置、或いは斜め配置(図示なし)する。図３に示す発光部品５０の配列方法は、一種の実施例に過ぎず、実際には、発光部品５０は、任意に配列することができる。
【００１６】
コントローラーは、光センサー４０の感知信号を受け取り、感知信号に基づき、蓄電池３０が出力する第二電力を制御する。こうして、発光部品５０を点灯、或いは消灯させ、発射光Ｌ２を生じさせる。例えば、太陽光Ｌ１の輝度が設定値より高ければ、環境中の光線の輝度が十分であることを示しているため、発光部品５０を点灯させる必要がないということになる。そのためこの際には、光センサー４０は、感知信号を高レベルに設定し、コントローラーにより発光部品５０を消灯させる。一方、太陽光Ｌ１の輝度が設定値より低ければ、感知信号を低高レベルに設定し、コントローラーにより発光部品５０を点灯させ、発射光Ｌ２を発生させる。しかも、発射光Ｌ２は掲示板１０へと照射し、反射により、省エネ掲示板モジュール１外部に向かう反射光Ｌ３を形成する。反射光Ｌ３は、掲示板１０の図案を表示することができ、こうして省エネ掲示の機能を達成する。
【００１７】
上記した本考案省エネ掲示板モジュール１はさらに、上蓋７０を備える。上蓋７０は、省エネ掲示板モジュール１の頂点部に位置し、開閉可能な方式で、外枠６０に結合する。こうして、上蓋７０により、掲示板１０、或いはソーラーモジュール２０の交換、更新を行うことができ、メンテナンスの利便性を高めることができる。同時に、上蓋７０を閉めた時には、水密性を備えるため、雨水の省エネ掲示板モジュール１内への浸入を防止することができ、保護作用を提供することができる。
【００１８】
本考案第二実施例省エネ掲示板モジュールの構造模式図である図４に示すように、省エネ掲示板モジュール２は、図１に示す省エネ掲示板モジュール１に類似している。両者の主な差異は、省エネ掲示板モジュール２の発光部品５０は、２個のソーラーモジュール２０の間に挟むなどソーラーモジュール２０の内側に位置する点である。他の機能は類似しているため、ここでは再記述は行わない。
【００１９】
これにより、ソーラーモジュール２０が発生する太陽光Ｌ１は、ソーラーモジュール２０と掲示板１０を透過し、省エネ掲示板モジュール２外部へと向かい、透過光Ｌ４を形成し、同時に、透過光Ｌ４を利用して、掲示板１０の図案を表示する。この他、発光部品５０は、図５に示すように配置し、すなわち均一に水平配置、垂直配置、或いは斜め配置(図示なし)することができる。図５に示す発光部品５０の配列方式は、一種の実施例に過ぎず、発光部品５０は任意に配列することができる。
【００２０】
図１〜５は、両面で太陽光を受け取ることができ、両面で掲示機能を発揮できる省エネ掲示板モジュールを実施例としているが、本考案の省エネ掲示板モジュールは、片面で太陽光を受け取り、片面で掲示機能を発揮できる省エネ掲示板モジュールとすることもできる。すなわち、本考案は、片面で太陽光を受け取り片面で掲示、両面で太陽光を受け取り片面で掲示、片面で太陽光を受け取り両面で表示、両面で太陽光を受け取り両面で表示する省エネ掲示板モジュールを実現することができる。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２２】
１  省エネ掲示板モジュール
２  省エネ掲示板モジュール
１０  掲示板
２０  ソーラーモジュール
３０  蓄電池
４０  光センサー
５０  発光部品
６０  外枠
７０  上蓋
Ｌ１  太陽光
Ｌ２  発射光
Ｌ３  反射光
Ｌ４  透過光
【図１】
0003173355.tif 000003
【図２】
0003173355.tif 000004
【図３】
0003173355.tif 000005
【図４】
0003173355.tif 000006
【図５】
0003173355.tif 000007